(57)【特許請求の範囲】
【請求項１】
周面に螺旋状の溝が形成され、一方の端面の中心に被係合部が設けられた円柱状のドラムと、
該ドラムの一方の端面に一端部が係止され、中間部が前記ドラムの一方の端面側から前記ドラムの溝に沿って巻回され、前記ドラムが一方の方向に回転すると、前記ドラムから繰り出される第１のケーブルと、
前記ドラムの他方の端面に一端部が係止され、中間部が前記ドラムの他方の端面側から前記ドラムの溝に沿って巻回され、前記ドラムが一方の方向に回転すると、前記ドラムに巻き取られる第２のケーブルと、
前記ドラムの被係合部に係脱可能な係合部を有し、係合した前記ドラムを回転駆動する駆動源と、
該駆動源側に設けられ、一方の面が開放面となった有底円筒状で、底部には前記駆動源の係合部が設けられ、前記駆動源に係合した前記ドラムの周面を覆い、前記第１，第２のケーブルが前記ドラムの溝から外れるのを防止する周面部を有するドラムハウジングと、
該ドラムハウジングの周面部に形成された切り欠き部に設けられ、前記第１，第２のケーブルの他端部側を案内するケーブルガイド部材と、
前記ドラムハウジングの開放面を覆うドラムカバーと、
からなるケーブル巻き取り機構の組み付け方法において、
前記ドラムの被係合部が前記駆動源の係合部に係合すると、前記ドラムの周面に形成された溝のうち、他方の端面側の溝の少なくとも一巻き分が前記ドラムハウジングから外部に露出するように前記ドラム、前記ドラムハウジングの高さを設定し、
前記ケーブルガイド部材を、前記第１のケーブルを案内する第１のケーブルガイド部材と、前記第２のケーブルを案内する第２のケーブルガイド部材とで構成し、
前記ドラムカバーは、前記ドラムハウジングの開放面を覆う本体部と、前記ドラムハウジングから外部に露出した前記ドラムの周面を覆うドラム周面対向部とを有し、
前記第１のケーブルに前記第１のケーブルガイド部材、前記第２のケーブルに前記第２のケーブルガイド部材を取り付け、
前記ドラムの一方の端面に前記第１のケーブルの一端部側を係止し、
前記ドラムハウジングの開放面から前記ドラムを挿入し、前記ドラムの一方の端面側の被係合部を前記駆動源の係合部に係合させ、
前記第１のケーブルガイド部材を前記ドラムハウジングの切り欠き部に設け、
前記駆動源を駆動して、前記ドラムを一方の方向に回転させて、前記第１のケーブルを前記ドラムに巻回し、
前記ドラムの他方の端面に前記第２のケーブルの一端部側を係止すると共に、前記ドラムハウジングから外部に露出したドラムの周面の溝に前記第２のケーブルを巻き付け、
前記第２のケーブルガイド部材を前記ドラムハウジングの切り欠き部に設け、
前記ドラムカバーで前記ドラムハウジングの開放面を覆うことを特徴とするケーブル巻き取り機構の組付け方法。
【請求項２】
周面に螺旋状の溝が形成され、一方の端面の中心に被係合部が設けられた円柱状のドラムと、
該ドラムの一方の端面に一端部が係止され、中間部が前記ドラムの一方の端面側から前記ドラムの溝に沿って巻回され、前記ドラムが一方の方向に回転すると、前記ドラムから繰り出される第１のケーブルと、
前記ドラムの他方の端面に一端部が係止され、中間部が前記ドラムの他方の端面側から前記ドラムの溝に沿って巻回され、前記ドラムが一方の方向に回転すると、前記ドラムに巻き取られる第２のケーブルと、
前記ドラムの被係合部に係脱可能な係合部を有し、係合した前記ドラムを回転駆動する駆動源と、
該駆動源側に設けられ、一方の面が開放面となった有底円筒状で、底部には前記駆動源の係合部が設けられ、前記駆動源に係合した前記ドラムの周面を覆い、前記第１，第２のケーブルが前記ドラムの溝から外れるのを防止する周面部を有するドラムハウジングと、
該ドラムハウジングの周面部に形成された切り欠き部に設けられ、前記第１，第２のケーブルの他端部側を案内するケーブルガイド部材と、
前記ドラムハウジングの開放面を覆うドラムカバーと、
からなるケーブル巻き取り機構において、
前記ドラムの被係合部が前記駆動源の係合部に係合すると、前記ドラムの周面に形成された溝のうち、他方の端面側の溝の少なくとも一巻き分が前記ドラムハウジングから外部に露出するように前記ドラム、前記ドラムハウジングの高さを設定し、
前記ケーブルガイド部材を、前記第１のケーブルを案内する第１のケーブルガイド部材と、前記第２のケーブルを案内する第２のケーブルガイド部材とで構成し、
前記ドラムカバーは、前記ドラムハウジングの開放面を覆う本体部と、前記ドラムハウジングから外部に露出した前記ドラムの周面を覆うドラム周面対向部とを有したことを特徴とするケーブル巻き取り機構。
【発明の詳細な説明】
【技術分野】
【０００１】
本発明は、自動車ドアのケーブル式のウインドレギュレータのケーブル巻き取り機構及びその組付け方法に関し、更に詳しくは、周面に螺旋状の溝が形成され、一方の端面の中心に被係合部が設けられた円柱状のドラムと、該ドラムの一方の端面に一端部が係止され、中間部が前記ドラムの一方の端面側から前記ドラムの溝に沿って巻回され、前記ドラムが一方の方向に回転すると、前記ドラムから繰り出される第１のケーブルと、前記ドラムの他方の端面に一端部が係止され、中間部が前記ドラムの他方の端面側から前記ドラムの溝に沿って巻回され、前記ドラムが一方の方向に回転すると、前記ドラムに巻き取られる第２のケーブルと、前記ドラムの被係合部に係脱可能な係合部を有し、係合した前記ドラムを回転駆動する駆動源と、該駆動源側に設けられ、一方の面が開放面となった有底円筒状で、底部には前記駆動源の係合部が設けられ、前記駆動源に係合した前記ドラムの周面を覆い、前記第１，第２のケーブルが前記ドラムの溝から外れるのを防止する周面部を有するドラムハウジングと、該ドラムハウジングの周面部に形成された切り欠き部に設けられ、前記第１，第２のケーブルの他端部側を案内するケーブルガイド部材と、前記ドラムハウジングの開放面を覆うドラムカバーと、からなるケーブル巻き取り機構及びその組付け方法に関する。
【背景技術】
【０００２】
自動車ドアのウインドガラスを開閉するウインドレギュレータにあっては、モータを用いたウインドレギュレータがある。図５、図６を用いて説明する。
図５において、ドア本体１内には、ウインドガラス２の開閉方向に沿ったガイド３が設けられている。このガイド３には、ウインドガラス２が取り付けられたキャリアプレート４が移動可能に係合している。ガイド３はその上下両端のブラケット５，５を介してドア本体１に取り付けられており、各ブラケット５にはプーリ６，６’が設けられている。また、ドア本体１には、ケーブル巻取り機構を駆動する駆動源としてのモータ７が設けられている。
【０００３】
ここで、ケーブル巻き取り機構を説明する。
図６に示すように、モータ７によって回転駆動されるドラム１０には、ワイヤが巻回されている。
【０００４】
ドラム１０は円柱状で、その周面には螺旋状の溝が形成されている。一方の端面（本例では下面）の中心には、モータ７の断面形状が矩形の出力軸に係合する角穴が設けられている。ドラム１０の一方の端面には、第１のケーブル８の一端部が係止され、第１のケーブル８の中間部がドラム１０の一方の端面側からドラム１０の溝に沿って巻回され、ドラム１０が一方の方向に回転すると、ドラム１０から繰り出されるようになっている。ドラム１０の他方の端面には、第２のケーブル８’の一端部が係止され、第２のケーブル８’の中間部がドラム１０の他方の端面側からドラム１０の溝に沿って巻回され、ドラム１０が一方の方向に回転すると、ドラム１０に巻き取られるようになっている。第１のケーブル８，第２のケーブル８’の他端部側は交差し、ケーブルガイド部材１１によって案内されるようになっている。モータ７側には、底部にはモータ７の駆動軸が設けられ、周面部にケーブルガイド部材１１が取り付けられ、ケーブルガイド部材１１以外の周面部では、モータ７に係合したドラム１０の周面を覆い、第１，第２のケーブル８，８’がドラム１０の溝から外れるのを防止する一方の面が開放面となった有底円筒状のドラムハウジング９が設けられている。ドラムハウジング９の開放面は、ドラムカバー１５によって覆われるようになっている。
【０００５】
図５に示すように、そして、ドラム１０を出た第１のケーブル８は、プーリ６を介してキャリアプレート４に接続されている。また、ドラム１０を出た第２のケーブル８’は、プーリ６’を介してキャリアプレート４に接続されている。よって、モータ７を駆動すると、第１のケーブル８、第２のケーブル８’が進退し、キャリアプレート４がガイド３に沿って移動し、ウインドガラス２が開閉する（特許文献１参照）。
【０００６】
ここで、このような構成のケーブル巻き取り機構の組み付け方法を説明する。
最初に、ドラム１０の一方の端面に、第１のケーブル８の一端部を係止させ、専用のケーブル巻き取り装置にドラム１０をセットし、中間部をドラム１０の一方の端面側からドラム１０の溝に沿って巻回する。次に、ドラム１０の他方の端面に、第２のケーブル８’の一端部を係止させ、中間部をドラム１０の他方の端面側からドラム１０の溝に沿って巻回する。
【０００７】
次に、専用のケーブル巻き取り装置にセットされたドラム１０の角穴にモータ７の駆動軸を係合させ、専用のケーブル巻き取り装置より第１のケーブル８及び第２のケーブル８’とが巻回されたドラム１０を取り外して、モータ７側に移動させた後に、ケーブルガイド部材１１を取り付け、最後に、ドラムカバー１５を取り付ける。
【特許文献１】実開平６−２８１６３号公報（図１０，図１１）
【発明の開示】
【発明が解決しようとする課題】
【０００８】
特許文献１に記載されたケーブル巻き取り機構を組付ける際には、専用のケーブル巻き取り装置にドラム１０をセットし、ドラム１０に第１のケーブル８及び第２のケーブル８’を巻回し、専用のケーブル巻き取り装置にセットされたドラム１０の角穴にモータ７の駆動軸に係合させ、専用のケーブル巻き取り装置より第１のケーブル８及び第２のケーブル８’が巻回されたドラム１０を取り外して、モータ７側に移動させる手間が必要である。また、専用のケーブル巻き取り装置が必要である。
【０００９】
よって、製造工数が多く、製造コストが高いという問題点がある。
本発明は、上記問題点に鑑みてなされたもので、その課題は、製造工数を削減でき、製造コストも低減できるケーブル巻き取り機構の組付け方法及びケーブル巻き取り機構を提供することにある。
【課題を解決するための手段】
【００１０】
請求項１に係る発明は、周面に螺旋状の溝が形成され、一方の端面の中心に被係合部が設けられた円柱状のドラムと、該ドラムの一方の端面に一端部が係止され、中間部が前記ドラムの一方の端面側から前記ドラムの溝に沿って巻回され、前記ドラムが一方の方向に回転すると、前記ドラムから繰り出される第１のケーブルと、前記ドラムの他方の端面に一端部が係止され、中間部が前記ドラムの他方の端面側から前記ドラムの溝に沿って巻回され、前記ドラムが一方の方向に回転すると、前記ドラムに巻き取られる第２のケーブルと、前記ドラムの被係合部に係脱可能な係合部を有し、係合した前記ドラムを回転駆動する駆動源と、該駆動源側に設けられ、一方の面が開放面となった有底円筒状で、底部には前記駆動源の係合部が設けられ、前記駆動源に係合した前記ドラムの周面を覆い、前記第１，第２のケーブルが前記ドラムの溝から外れるのを防止する周面部を有するドラムハウジングと、該ドラムハウジングの周面部に形成された切り欠き部に設けられ、前記第１，第２のケーブルの他端部側を案内するケーブルガイド部材と、前記ドラムハウジングの開放面を覆うドラムカバーと、からなるケーブル巻き取り機構の組み付け方法において、前記ドラムの被係合部が前記駆動源の係合部に係合すると、前記ドラムの周面に形成された溝のうち、他方の端面側の溝の少なくとも一巻き分が前記ドラムハウジングから外部に露出するように前記ドラム、前記ドラムハウジングの高さを設定し、前記ケーブルガイド部材を、前記第１のケーブルを案内する第１のケーブルガイド部材と、前記第２のケーブルを案内する第２のケーブルガイド部材とで構成し、前記ドラムカバーは、前記ドラムハウジングの開放面を覆う本体部と、前記ドラムハウジングから外部に露出した前記ドラムの周面を覆うドラム周面対向部とを有し、前記第１のケーブルに前記第１のケーブルガイド部材、前記第２のケーブルに前記第２のケーブルガイド部材を取り付け、前記ドラムの一方の端面に前記第１のケーブルの一端部側を係止し、前記ドラムハウジングの開放面から前記ドラムを挿入し、前記ドラムの一方の端面側の被係合部を前記駆動源の係合部に係合させ、前記第１のケーブルガイド部材を前記ドラムハウジングの切り欠き部に設け、前記駆動源を駆動して、前記ドラムを一方の方向に回転させて、前記第１のケーブルを前記ドラムに巻回し、前記ドラムの他方の端面に前記第２のケーブルの一端部側を係止すると共に、前記ドラムハウジングから外部に露出したドラムの周面の溝に前記第２のケーブルを巻き付け、前記第２のケーブルガイド部材を前記ドラムハウジングの切り欠き部に設け、前記ドラムカバーで前記ドラムハウジングの開放面を覆うことを特徴とするケーブル巻き取り機構の組付け方法である。
【００１１】
請求項２に係る発明は、周面に螺旋状の溝が形成され、一方の端面の中心に被係合部が設けられた円柱状のドラムと、該ドラムの一方の端面に一端部が係止され、中間部が前記ドラムの一方の端面側から前記ドラムの溝に沿って巻回され、前記ドラムが一方の方向に回転すると、前記ドラムから繰り出される第１のケーブルと、前記ドラムの他方の端面に一端部が係止され、中間部が前記ドラムの他方の端面側から前記ドラムの溝に沿って巻回され、前記ドラムが一方の方向に回転すると、前記ドラムに巻き取られる第２のケーブルと、前記ドラムの被係合部に係脱可能な係合部を有し、係合した前記ドラムを回転駆動する駆動源と、該駆動源側に設けられ、一方の面が開放面となった有底円筒状で、底部には前記駆動源の係合部が設けられ、前記駆動源に係合した前記ドラムの周面を覆い、前記第１，第２のケーブルが前記ドラムの溝から外れるのを防止する周面部を有するドラムハウジングと、該ドラムハウジングの周面部に形成された切り欠き部に設けられ、前記第１，第２のケーブルの他端部側を案内するケーブルガイド部材と、前記ドラムハウジングの開放面を覆うドラムカバーと、からなるケーブル巻き取り機構において、前記ドラムの被係合部が前記駆動源の係合部に係合すると、前記ドラムの周面に形成された溝のうち、他方の端面側の溝の少なくとも一巻き分が前記ドラムハウジングから外部に露出するように前記ドラム、前記ドラムハウジングの高さを設定し、前記ケーブルガイド部材を、前記第１のケーブルを案内する第１のケーブルガイド部材と、前記第２のケーブルを案内する第２のケーブルガイド部材とで構成し、前記ドラムカバーは、前記ドラムハウジングの開放面を覆う本体部と、前記ドラムハウジングから外部に露出した前記ドラムの周面を覆うドラム周面対向部とを有したことを特徴とするケーブル巻き取り機構である。
【発明の効果】
【００１２】
請求項１に係る発明によれば、前記ドラムの被係合部が前記駆動源の係合部に係合すると、前記ドラムの周面に形成された溝のうち、他方の端面側の溝の少なくとも一巻き分が前記ドラムハウジングから外部に露出するように前記ドラム、前記ドラムハウジングの高さを設定し、前記ケーブルガイド部材を、前記第１のケーブルを案内する第１のケーブルガイド部材と、前記第２のケーブルを案内する第２のケーブルガイド部材とで構成し、前記ドラムカバーは、前記ドラムハウジングの開放面を覆う本体部と、前記ドラムハウジングから外部に露出した前記ドラムの周面を覆うドラム周面対向部とを有し、前記第１のケーブルに前記第１のケーブルガイド部材、前記第２のケーブルに前記第２のケーブルガイド部材を取り付け、前記ドラムの一方の端面に前記第１のケーブルの一端部側を係止し、前記ドラムハウジングの開放面から前記ドラムを挿入し、前記ドラムの一方の端面側の被係合部を前記駆動源の係合部に係合させ、前記第１のケーブルガイド部材を前記ドラムハウジングの切り欠き部に設け、前記駆動源を駆動して、前記ドラムを一方の方向に回転させて、前記第１のケーブルを前記ドラムに巻回し、前記ドラムの他方の端面に前記第２のケーブルの一端部側を係止すると共に、前記ドラムハウジングから外部に露出したドラムの周面の溝に前記第２のケーブルを巻き付け、前記第２のケーブルガイド部材を前記ドラムハウジングの切り欠き部に設け、前記ドラムカバーで前記ドラムハウジングの開放面を覆うことにより、ケーブル巻き取り機構を組付ける際には、専用のケーブル巻き取り装置にドラムをセットし、ドラムに第１のケーブルを巻回し、専用のケーブル巻き取り装置にセットされたドラムの角穴にモータの駆動軸に係合させ、専用のケーブル巻き取り装置より第１のケーブルが巻回されたドラムを取り外して、モータ７側に移動させる手間が不要となる。また、専用のケーブル巻き取り装置が不要となる。よって、製造工数を削減でき、製造コストも低減できる。
【００１３】
請求項２に係る発明によれば、前記ドラムの被係合部が前記駆動源の係合部に係合すると、前記ドラムの周面に形成された溝のうち、他方の端面側の溝の少なくとも一巻き分が前記ドラムハウジングから外部に露出するように前記ドラム、前記ドラムハウジングの高さを設定し、前記ケーブルガイド部材を、前記第１のケーブルを案内する第１のケーブルガイド部材と、前記第２のケーブルを案内する第２のケーブルガイド部材とで構成し、
前記ドラムカバーは、前記ドラムハウジングの開放面を覆う本体部と、前記ドラムハウジングから外部に露出した前記ドラムの周面を覆うドラム周面対向部とを有したことにより、組み付けの際に、前記第１のケーブルに前記第１のケーブルガイド部材、前記第２のケーブルに前記第２のケーブルガイド部材を取り付け、前記ドラムの一方の端面に前記第１のケーブルの一端部側を係止すると共に、前記第１のケーブルガイド部材を前記ドラムハウジングの切り欠き部に設け、前記ドラムハウジングの開放面から前記ドラムを挿入し、前記ドラムの一方の端面側の被係合部を前記駆動源の係合部に係合させ、前記第１のケーブルガイド部材を前記ドラムハウジングに取り付け、前記駆動源を駆動して、前記ドラムを一方の方向に回転させて、前記第１のケーブルを前記ドラムに巻回し、前記ドラムの他方の端面に前記第２のケーブルの一端部側を係止すると共に、前記ドラムハウジングから外部に露出したドラムの周面の溝に前記第２のケーブルを巻き付け、前記第２のケーブルガイド部材を前記ドラムハウジングの切り欠き部に設け、前記ドラムカバーで前記ドラムハウジングの開放面を覆えば、ケーブル巻き取り機構を組付ける際には、専用のケーブル巻き取り装置にドラムをセットし、ドラムに第１のケーブルを巻回し、専用のケーブル巻き取り装置にセットされたドラムの角穴にモータの駆動軸に係合させ、専用のケーブル巻き取り装置より第１のケーブルが巻回されたドラムを取り外して、モータ７側に移動させる手間が不要となる。また、専用のケーブル巻き取り装置が不要となる。よって、製造工数を削減でき、製造コストも低減できる。
【発明を実施するための最良の形態】
【００１４】
図１−図４を用いて、ウインドレギュレータに用いられる本形態例のケーブル巻き取り機構の構成を説明する。図１は本形態例のケーブル巻き取り機構の分解斜視図、図２は図１の分解斜視図を下方から見た分解斜視図、図３は組み付け後における図１の上面図、図４は図３の切断線Ａ−Ａでの断面図である。
【００１５】
図１、図２に示すように、円柱状のドラム１０１の周面には、螺旋状の溝１０３が形成されている。図２に示すように、ドラム１０１の下面（一方の端面）１０５の中心には、被係合部としての断面形状が非円形の角穴１０７が形成されている。
【００１６】
図１に示すように、ドラム１０１の上面（他方の端面）１０９には、ケーブルの先端に設けられたエンド部材が係合可能で、係合したケーブルをドラム１０１の周面の溝まで案内するエンド部材係止部１１１が形成されている。図２に示すように、ドラム１０１の下面１０５には、ケーブルの先端に設けられたエンド部材が係合可能で、係合したケーブルをドラム１０１の周面の溝まで案内するエンド部材係止部１１３が形成されている。
【００１７】
図２に示すように、第１のケーブル１２１の先端にはエンド部材１２３が取り付けられ、このエンド部材１２３は、ドラム１０１の下面１０５のエンド部材係止部１１３に係止され、ドラム１０１の溝１０３に沿って巻回され、ドラム１０１が一方の方向（図２において、矢印ＩＩ方向）に回転すると、第１のケーブル１２１は、ドラム１０１から繰り出されるようになっている。
【００１８】
また、図１に示すように、第２のケーブル１３１の先端にはエンド部材１３３が取り付けられ、このエンド部材１３３は、ドラム１０１の上面１０９のエンド部材係止部１１１に係止され、ドラム１０１の溝１０３に沿って巻回され、ドラム１０１が一方の方向（図１において、矢印Ｉ方向）に回転すると、第２のケーブル１３１は、ドラム１０１に巻き取られるようになっている。
【００１９】
図１に示すように、駆動源は減速機構が一体化したモータ１４１でなり、その出力軸１４３は、断面形状が非円形の矩形となっている。そして、この出力軸１４３には、ドラム１０１の下面（一方の端面）１０５の中心に形成された角穴１０７が係脱可能となっている。ドラム１０１の角穴１０７が、モータ１４１の出力軸に係合することにより、ドラム１０１はモータ１４１により回転駆動される。
【００２０】
また、図１、図２に示すように、第１のケーブル１２１，第２のケーブル１３１の中間部は、アウタケーブル１２５，１３５内を挿通している。アウタケーブル１２５，１３５の一方の端部には、円板状のケーブルエンド部材１２５ａ，１３５ａが取り付けられている。
【００２１】
モータ１４１には、第１のケーブルガイド部材１２９，第２のケーブルガイド部材１３９が取り付けられる。第１のケーブルガイド部材１２９、第２のケーブルガイド部材１３９は、第１のケーブル１２１、第２のケーブル１３１が挿通可能な溝を有している。第１のケーブル１２１、第２のケーブル１３１が溝を挿通することにより、第１のケーブル１２１はドラム１０１の下面１０５に、第２のケーブル１３１はドラム１０１の上面１０９にそれぞれ案内されるようになっている。
【００２２】
また、モータ１４１に取り付けられた第１のケーブルガイド部材１２９と、第１のケーブル１２１のアウタケーブル１２５のエンド部材１２５ａとの間には、スプリング１２７が設けられ、アウタケーブル１２５を軸方向に付勢している。また、アウタケーブル１２５の他方の側は固定されており、第１のケーブル１２１にたるみが発生すると、スプリング１２７の付勢力により、アウタケーブル１２５が押し出され、第１のケーブル１２１の経路が伸びて、第１のケーブル１２１のたるみが吸収される。
【００２３】
同様に、モータ１４１に取り付けられた第２のケーブルガイド部材１３９と、第２のケーブル１３１のアウタケーブル１３５のエンド部材１３５ａとの間には、スプリング１３７が設けられ、アウタケーブル１３５を軸方向に付勢している。また、アウタケーブル１３５の他方の側は固定されており、第２のケーブル１３１にたるみが発生すると、スプリング１３７の付勢力により、アウタケーブル１３５が押し出され、第２のケーブル１３１の経路が伸びて、第２のケーブル１３１のたるみが吸収される。
【００２４】
図１に示すように、モータ１４１には、有底円筒状のドラムハウジング１５１が設けられる。このドラムハウジング１５１の底部にはモータ１４１の出力軸１４３が設けられる。ドラムハウジング１５１の周面部１５３には、第１のケーブルガイド部材１２９、第２のケーブルガイド部材１３９が設けられる切り欠き部１５５が形成されている。切り欠き部１５５以外の周面部１５３は、モータ１４１に係合したドラム１０１の周面を覆い、第１，第２のケーブル１２１，１３１がドラム１０１の溝１０３から外れるのを防止するようになっている。
【００２５】
図１、図２に示すように、ドラムハウジング１５１の開放面は、ねじ１６１でモータ１４１に取り付けられるドラムカバー１６３で覆われる。
そして、本形態例では、図４に示すように、ドラム１０１の角穴１０７がモータ１４１の出力軸１４３に係合すると、ドラム１０１の周面に形成された溝１０３のうち、上面（他方の面）１０９側の溝の少なくとも一巻き分がドラムハウジング１５１から外部に露出するように、ドラム１０１、ドラムハウジング１５１の周面部１５３の高さを設定している。また、ドラムカバー１６３は、ドラムハウジング１５１の開放面を覆う本体部１６５と、ドラムハウジング１５１から外部に露出したドラム１０１の周面を覆うドラム周面対向部１６７とを有している。
【００２６】
次に、上記構成のケーブル巻き取り機構の組付け方法を説明する。
第１のケーブル１２１に第１のケーブルガイド部材１２９を取り付け、第２のケーブル１３１に第２のケーブルガイド部材１３９を取り付ける（第１工程）。
【００２７】
ドラム１０１の下面（一方の端面）１０５のエンド部材係止部１１３に第１のケーブル１２１のエンド部材１２３を係止する(第２工程)。
ドラムハウジング１５１の開放面からドラム１０１を挿入し、前記ドラム１０１の下面（一方の端面）の角穴１０７をモータの出力軸１４３に係合させる(第３工程)。
【００２８】
第１のケーブルガイド部材１２９をドラムハウジング１５１の切り欠き部１５５に設ける(第４工程)。
モータ１４１を駆動して、ドラム１０１を一方の方向に回転させて、第１のケーブル１２１をドラム１０１に巻回する(第５工程)。
【００２９】
ドラム１０１の上面（他方の端面）１０９のエンド部材係止部１１１に第２のケーブル１３１のエンド部材１３３を係止し、ドラムハウジング１５１から外部に露出したドラム１０１の周面の溝に第２のケーブル１３１を巻き付ける(第６工程)。
【００３０】
第２のケーブルガイド部材１３９をドラムハウジング１５１の切り欠き部１５５に設ける(第７工程)。
ねじ１６１を用いてドラムカバー１６３を取り付け、ドラムハウジング１５１の開放面を覆う(第８工程)。
【００３１】
このような構成によれば、ケーブル巻き取り機構を組付ける際には、専用のケーブル巻き取り装置にドラムをセットし、ドラムに第１のケーブルを巻回し、専用のケーブル巻き取り装置にセットされたドラムの角穴にモータの駆動軸を係合させ、専用のケーブル巻き取り装置より第１のケーブル１２１及び第２のケーブル１３１が巻回されたドラム１０１を取り外して、モータ１４１側に移動させる手間が不要となる。また、専用のケーブル巻き取り装置が不要となる。よって、製造工数を削減でき、製造コストも低減できる。
【図面の簡単な説明】
【００３２】
【図１】本形態例のケーブル巻き取り機構の分解斜視図である。
【図２】図１の分解斜視図を下方から見た分解斜視図である。
【図３】組み付け後における図１の上面図である。
【図４】図３の切断線Ａ−Ａでの断面図である。
【図５】ウインドレギュレータの構成図である。
【図６】図５のケーブル巻き取り機構の分解斜視図である。
【符号の説明】
【００３３】
１０１  ドラム
１０３  溝
１２１  第１のケーブル
１２９  第１のケーブルガイド部材
１３１  第２のケーブル
１３９  第２のケーブルガイド部材
１５１  ドラムハウジング
１６３  ドラムカバー
【図１】
0005154965.tif 000002
【図２】
0005154965.tif 000003
【図３】
0005154965.tif 000004
【図４】
0005154965.tif 000005
【図５】
0005154965.tif 000006
【図６】
0005154965.tif 000007